(57)【要約】【目的】支柱の保持を確実にして、位置調整できるようにした植木鉢用支柱保持具を提供する。【構成】植木鉢Ｂの開口縁Ｂａに係止される係止部１０と、係止部１０に一体に設けられ植木鉢Ｂに立設される支柱Ｓを保持する保持部２０とを備えた樹脂製の植木鉢用支柱保持具Ｈにおいて、係止部１０を、植木鉢Ｂの開口縁Ｂａに差し込まれ、開口縁Ｂａに挾着される溝１１を備えるとともに、溝１１を前後方向に複数備えた板状に形成し、保持部２０を、支柱Ｓを左右から弾性により挾持する一対の挾持壁２１を備えたリング状に形成した。【選択図】　図１
2004065115.tif 000002
【特許請求の範囲】
【請求項１】
植木鉢の開口縁に係止される係止部と、
該係止部に一体に設けられ植木鉢に立設される支柱を保持する保持部とを備えた樹脂製の植木鉢用支柱保持具において、
上記係止部を、植木鉢の開口縁に差し込まれ、該開口縁に挾着される溝を備えるとともに、該溝を前後方向に複数備えた板状に形成し、
上記保持部を、支柱を左右から弾性により挾持する一対の挾持壁を備えたリング状に形成したことを特徴とする植木鉢用支柱保持具。
【請求項２】
上記係止部を上記保持部に左右対称に一対備えたことを特徴とする請求項１記載の植木鉢用支柱保持具。
【請求項３】
上記溝の開口を拡開形成したことを特徴とする請求項１または２記載の植木鉢用支柱保持具。
【請求項４】
上記保持部を前後方向に長い楕円リング状に形成し、上記一対の挾持壁の前後方向中間部及び先端部に支柱をガイドする凹面を形成したことを特徴とする請求項１，２または３記載の植木鉢用支柱保持具。
【請求項５】
上記保持部の一対の挾持壁の上縁部を拡開形成したことを特徴とする請求項１，２，３または４記載の植木鉢用支柱保持具。
【発明の詳細な説明】
【０００１】
【発明の属する技術分野】
本発明は、植木鉢に植えられた植物を支える支柱を保持する植木鉢用支柱保持具に関する。
【０００２】
【従来の技術】
一般に、ガーデニング等では、適当な大きさの植木鉢に植物を植えて育成するが、特に蔓性植物や茎が折れやすい植物を育てる場合には植物を支えるための支柱を立てることがある。その支柱には木製やプラスチック製のものがあり、植木鉢に入れている土に直接差し込んでいる。
ところが、支柱を単に土に差し込むだけでは、支柱が不安定になることから、この場合には、支柱が倒れないようにするための支柱を固定する植木鉢用支柱保持具を用いることがある。
【０００３】
従来、この植木鉢用支柱保持具としては、例えば、実開昭５５−５７０９号公報に掲載されたものが知られている。
図９及び図１０に示すように、この植木鉢用支柱保持具Ｈａは、樹脂製板を三角形状に折曲形成して植木鉢Ｂの開口縁Ｂａに挾着するように構成するとともに、支柱Ｓが挿入される挿入孔１を設け、この挿入孔１で支柱Ｓを保持するようにしている。
【０００４】
また、従来においては、例えば、実開昭６１−１２３５６号公報に掲載されたものも知られている。
図１１及び図１２に示すように、この植木鉢用支柱保持具Ｈｂは、鉄線等の線材を折曲形成して植木鉢Ｂの開口縁Ｂａに挾着するように構成するとともに、支柱Ｓが挿入されるＵ字状部２を設け、このＵ字状部２で支柱Ｓを保持するようにしている。
【０００５】
【発明が解決しようとする課題】
ところで、上記の植木鉢用支柱保持具おいて、前者の植木鉢用支柱保持具Ｈａにあっては、植木鉢Ｂの開口縁Ｂａに植木鉢用支柱保持具Ｈａを挾むので、植木鉢用支柱保持具Ｈａ自体のぐらつきがほとんどなく、支柱Ｓの保持は確実にできるものの、植木鉢用支柱保持具Ｈａには支柱Ｓを立てる挿入孔１が１つしか開けられていないため、支柱Ｓの位置調整ができず、植物が植えられている位置によっては植物と支柱Ｓが離れすぎてしまい、植物の支持が不十分になってしまうという問題があった。
【０００６】
また、後者の植木鉢用支柱保持具Ｈｂにおいては、Ｕ字状部２で支柱Ｓを保持するので、支柱Ｓの位置調整はできるが、単純な鉄線等で製作されており、容易に折り曲げ可能なので、植木鉢Ｂへの挾持が確実でなく、そのため、植木鉢用支柱保持具Ｈｂ自体がぐらついてしまい、支柱Ｓの保持が不安定で、結果として植物の支持が不十分になってしまうという問題があった。
【０００７】
本発明は上記の問題点に鑑みて為されたもので、支柱の保持を確実にして、位置調整できるようにした植木鉢用支柱保持具を提供することを目的とする。
【０００８】
【課題を解決するための手段】
このような目的を達成するための本発明の技術的手段は、植木鉢の開口縁に係止される係止部と、該係止部に一体に設けられ植木鉢に立設される支柱を保持する保持部とを備えた樹脂製の植木鉢用支柱保持具において、上記係止部を、植木鉢の開口縁に差し込まれ、該開口縁に挾着される溝を備えるとともに、該溝を前後方向に複数備えた板状に形成し、上記保持部を支柱を左右から弾性により挾持する一対の挾持壁を備えた構成としている。
これにより、係止部の溝の係止位置調整により、植物が植えられている位置にあわせて支柱の位置調整ができ、植物の支持を確実にすることができる。
また、弾性のある挾持壁により、しっかりと支柱を挾持するので、支柱の保持が確実となり、この点でも植物の支持を確実にすることができる。
更には、弾性のある樹脂でできているので、取り付け，　取り外しの際、植木鉢用支柱保持具が割れたりする危険性がなく、怪我の心配もない。
【０００９】
そして、必要に応じ、上記係止部を上記保持部に左右対称に一対備えた構成としている。
これにより、取り付けがぐらつくことがなく確実となり、植木鉢の縁から外れにくくなり、支柱をより一層安定させることができる。
【００１０】
また、必要に応じ、上記溝の開口を拡開形成した構成としている。これにより、係止部を植木鉢の開口縁に差し込みやすくすることができる。
【００１１】
更に、必要に応じ、上記保持部を前後方向に長い楕円リング状に形成し、上記一対の挾持壁の前後方向中間部及び先端部に支柱をガイドする凹面を形成した構成としている。
これにより、支柱を凹面でガイドするので支柱をより一層安定させることができる。また、支柱の太さが異なっても位置変更が可能となり、汎用性を増すことができる。
【００１２】
更にまた、必要に応じ、上記保持部の一対の挾持壁の上縁部を拡開形成した構成としている。これにより、支柱を挿入しやすいという利点がある。
【００１３】
【発明の実施の形態】
以下、添付図面に基づいて、本発明の実施の形態に係る植木鉢用支柱保持具について詳細に説明する。
図１乃至図５に示すように、本発明の実施の形態に係る植木鉢用支柱保持具Ｈは、弾性のある樹脂で形成されており、全体が略Ｙ字型となっている。
この植木鉢用支柱保持具Ｈは、植木鉢Ｂの開口縁Ｂａに係止される係止部１０と、この係止部１０に一体に設けられ植木鉢Ｂに立設される支柱Ｓを保持する保持部２０とを備えている。
【００１４】
係止部１０は、保持部２０に左右対称に一対備えられており、植木鉢Ｂの開口縁Ｂａに差し込まれ、開口縁Ｂａに挾着される溝１１を備えるとともに、溝１１を前後方向に複数（実施の形態では２つ）備えた板状に形成されている。
詳しくは、この係止部１０には植木鉢Ｂの開口縁Ｂａに差し込まれ、開口縁Ｂａに挾着される第１溝１１Ａと第２溝１１Ｂが、前後方向に形成されている。
また、第１溝１１Ａと第２溝１１Ｂの開口１２は拡開形成されており、植木鉢Ｂの開口縁Ｂａに差し込みやすくなっている。そして、第１溝１１Ａと第２溝１１Ｂの底の部分には後ろ側に向けて丸い切れ込み１３が夫々形成されている。この丸い切れ込み１３は植木鉢Ｂの開口縁Ｂａに形成された外向きの突条Ｂｂに嵌合する。
【００１５】
保持部２０は、支柱Ｓを左右から弾性により挾持する一対の挾持壁２１を備えた前後方向に長い楕円リング状に形成されている。また、この一対の挾持壁２１の前後方向中間部及び先端部に支柱Ｓをガイドする凹面２２が形成され、この中間部及び先端部に、凹面２２により形成され支柱Ｓが挿通される第１ガイド部２３Ａ及び第２ガイド部２３Ｂが形成されている。更に、保持部２０の一対の挾持壁２１の上縁部２４、特に第１ガイド部２３Ａ及び第２ガイド部２３Ｂの上縁部２４は拡開形成されている。
即ち、支柱Ｓは一対の挾持壁２１間において、スライド可能になっており、第１ガイド部２３Ａ及び第２ガイド部２３Ｂに位置変更可能なっている。第１ガイド部２３Ａは中間部にあることから第２ガイド部２３Ｂに比較して、拡開幅が大きく、そのため、第１ガイド部２３Ａは比較的太い支柱Ｓの挾持用として機能させられ、第２ガイド部２３Ｂは比較的細い支柱Ｓの挾持用として機能させられる。
【００１６】
従って、本実施の形態に係る植木鉢用支柱保持具Ｈを用いて、植木鉢Ｂに支柱Ｓを立てるときは、以下のようになる。
図１に示すように、植木鉢Ｂに植木鉢用支柱保持具Ｈを装着するときは、まず、植木鉢用支柱保持具Ｈの係止部１０にある第１溝１１Ａ及び第２溝１１Ｂの拡開部分を植木鉢Ｂの開口縁Ｂａに向け、保持部２０を植木鉢Ｂに植えられている植物側に向ける。このとき、保持部２０の一対の挾持壁２１の拡開形成された上縁部２４が上を向いている状態となっている。
このとき、図１に示すように、植物が植えられている位置と立てたい支柱Ｓとの距離や植木鉢Ｂの大きさによって、第１溝１１Ａに開口縁Ｂａを差し込むか、第２溝１１Ｂに差し込むかを決める。ここでは、第１溝１１Ａに決定したとする。
そして、植木鉢Ｂの開口縁Ｂａに植木鉢用支柱保持具Ｈの係止部１０にある第１溝１１Ａをあて、溝１１の終わりにある丸い切れ込み１３までしっかりと押し込む。係止部１０を開口縁Ｂａに装着するときは、片方ずつ係止部１０を装着しても良いし、両方の係止部１０を２つ同時に装着することができる。それぞれの溝１１の入り口は拡開形成されており、植木鉢用支柱保持具Ｈをより装着しやすくなっている。
【００１７】
次に、植木鉢Ｂに装着された植木鉢用支柱保持具Ｈの保持部２０に支柱Ｓを取り付ける。まず、太い支柱Ｓの場合には、第１ガイド部２３Ａに差し込む。このとき、図６及び図７に示すように、第１ガイド部２３Ａの上縁部２４、つまり支柱Ｓが入る入り口に当たる部分は拡開形成されているので、支柱Ｓが挿入しやすくなっている。そして、保持部２０の第１ガイド部２３Ａに挿入した支柱Ｓを下方向に押し込み、植木鉢Ｂに入れている土に差し込む。
また、図８に示すように、細い支柱Ｓの場合には、保持部２０の上から先ず第１ガイド部２３Ａに差し込む。それから、支柱Ｓをスライドさせて、第２ガイド部２３Ｂに移動させる。この場合、第２ガイド部２３Ｂに直接挿入しても良いが、第１ガイド部２３Ａに入れてから第２ガイド部２３Ｂにスライド移動させたほうが、第１ガイド部２３Ａは拡開幅が大きいことから、装着が容易になる。
【００１８】
なお、支柱Ｓの太さは、植物の茎の太さや生育状態、天候等を考慮して決められる。これらの条件で決定した支柱Ｓは、条件によって支柱Ｓの太さが異なってくる。
本発明の植木鉢用支柱保持具Ｈは、決まった太さのみの支柱Ｓしか使用できないというわけではなく、保持部２０の挾持壁２１に挾持される太さであればどのような太さでも良い。この場合、保持部２０は先端のほうに広がりにくくなっているので、特に第２ガイド部２３Ｂは細い支柱Ｓを挾持するのに適している。そして、図７に示すように、中間部分にある第１ガイド部２３Ａは広がりやすいので、特に太い支柱Ｓに適している。
【００１９】
また、保持部２０の挾持壁２１に挾持される太さであれば、細い太いにかかわらず、第１ガイド部２３Ａ、第２ガイド部２３Ｂのいずれに挾持してもよい。この場合は、図８に示すように、保持部２０にある２つの第１ガイド部２３Ａ及び第２ガイド部２３Ｂ間を通過させることにより、支柱Ｓをスライドさせて、支柱Ｓを刺す位置を容易に変更することができる。そのため、植物が植えられている位置にあわせて支柱Ｓの位置調整ができるので、植物の支持が確実になる。
【００２０】
また、１つの植木鉢Ｂに複数の支柱Ｓを立てることも可能である。その場合には、植木鉢Ｂの開口縁Ｂａにさらに植木鉢用支柱保持具Ｈを上記の方法で装着し、支柱Ｓを立てる。
【００２１】
このようにして、植木鉢用支柱保持具Ｈを植木鉢Ｂに装着した状態では、係止部１０の係止位置調整により、支柱Ｓの位置調整ができるので、植物が植えられている位置にあわせて支柱Ｓの位置調整ができ、植物の支持が確実になる。
また、図１に示すように、係止部１０の溝１１は植木鉢Ｂの開口縁Ｂａに差し込まれて挾着されるとともに、丸い切れ込み１３が、植木鉢Ｂの開口縁Ｂａの突条Ｂｂにしっかりと嵌合するので、外れにくくなる。そのため、支柱Ｓの保持が確実となる。
更に、支柱Ｓは、弾性のある挾持壁２１により、しっかりと挾持されているので、支柱Ｓの保持が確実となる。即ち、図７に示すように、支柱Ｓが挾持壁２１間に挿入された状態では弾性のある挾持壁２１が膨らみ、挾持壁２１がしっかりと支柱Ｓを挾持することになり、支柱Ｓの保持が確実となる。
【００２２】
植木鉢用支柱保持具Ｈを取り外すときは、支柱Ｓを抜いた後、上方向に植木鉢用支柱保持具Ｈを引き上げるだけで良い。このとき、係止部１０や保持部２０は弾性のある樹脂でできているので、割れたりする危険性がなく、怪我の心配もない。
【００２３】
尚、上記実施の形態において、１本の植物が植えてある植木鉢Ｂにおいて説明したが、必ずしもこれに限定されるものではなく、プランター等の複数本の植物を植えることができる植木鉢で使用しても良い。また、第１溝１１Ａと第２溝１１Ｂがある場合で説明したが、３つ以上の溝を設けても良い。更に、保持部２０のガイド部も３つ以上設けても良い。
尚また、係止部１０と保持部２０の長さも適宜変更して用いても良いことは勿論である。
【００２４】
【発明の効果】
以上説明したように、本発明の植木鉢用支柱保持具によれば、植木鉢の開口縁に係止される係止部と、係止部に一体に設けられ植木鉢に立設される支柱を保持する保持部とを備え、係止部を、植木鉢の開口縁に差し込まれ、開口縁に挾着される溝を備えるとともに、溝を前後方向に複数備えた板状に形成し、保持部を支柱を左右から弾性により挾持する一対の挾持壁を備えて構成したので、係止部の溝の係止位置調整により、植物が植えられている位置にあわせて支柱の位置調整ができ、植物の支持を確実にすることができる。
また、弾性のある挾持壁により、しっかりと支柱を挾持するので、支柱の保持が確実となり、この点でも植物の支持を確実にすることができる。
更には、弾性のある樹脂でできているので、取り付け，　取り外しの際、植木鉢用支柱保持具が割れたりする危険性がなく、怪我の心配もない。
【００２５】
そして、係止部を保持部に左右対称に一対備えた場合には、取り付けがぐらつくことがなく確実となり、植木鉢の縁から外れにくくなり、支柱をより一層安定させることができる。
また、溝の開口を拡開形成した場合には、係止部を植木鉢の開口縁に差し込みやすくすることができる。
【００２６】
そして、保持部を前後方向に長い楕円リング状に形成し、一対の挾持壁の前後方向中間部及び先端部に支柱をガイドする凹面を形成した場合には、支柱を凹面でガイドするので支柱をより一層安定させることができる。
また、支柱の太さが異なっても位置変更が可能となり、汎用性を増すことができる。
また、保持部の一対の挾持壁の上縁部を拡開形成した場合には、支柱を挿入しやすいという利点がある。
【図面の簡単な説明】
【図１】本発明の実施の形態に係る植木鉢用支柱保持具を示す図であり、植木鉢用支柱保持具と支柱を植木鉢に装着した図である。
【図２】本発明の実施の形態に係る植木鉢用支柱保持具を示す斜視図である。
【図３】本発明の実施の形態に係る植木鉢用支柱保持具を示す裏面図である。
【図４】本発明の実施の形態に係る植木鉢用支柱保持具を示す側面図である。
【図５】本発明の実施の形態に係る植木鉢用支柱保持具を示す斜視図である。
【図６】本発明の実施の形態に係る植木鉢用支柱保持具を示す図５中Ａ−Ａ線断面図である。
【図７】本発明の実施の形態に係る植木鉢用支柱保持具を示す図であり、太い支柱を挿入した裏面図である。
【図８】本発明の実施の形態に係る植木鉢用支柱保持具を示す図であり、細い支柱を挿入した裏面図である。
【図９】従来の植木鉢用支柱保持具の一例を示す図である。
【図１０】図９に示す従来の植木鉢用支柱保持具を植木鉢に装着した状態で示す図である。
【図１１】従来の植木鉢用支柱保持具の別の一例を示す図である。
【図１２】図１１に示す従来の植木鉢用支柱保持具を植木鉢に装着した状態で示す図である。
【符号の説明】
Ｈ　植木鉢用支柱保持具
Ｓ　支柱
Ｂ　植木鉢
Ｂａ　開口縁
Ｂｂ　突条
１０　係止部
１１　溝
１１Ａ　第１溝
１１Ｂ　第２溝
１２　開口
１３　丸い切れ込み
２０　保持部
２１　挾持壁
２２　凹面
２３Ａ　第１ガイド部
２３Ｂ　第２ガイド部
２４　上縁部
【図１】
2004065115.tif 000003
【図２】
2004065115.tif 000004
【図３】
2004065115.tif 000005
【図４】
2004065115.tif 000006
【図５】
2004065115.tif 000007
【図６】
2004065115.tif 000008
【図７】
2004065115.tif 000009
【図８】
2004065115.tif 000010
【図９】
2004065115.tif 000011
【図１０】
2004065115.tif 000012
【図１１】
2004065115.tif 000013
【図１２】
2004065115.tif 000014